(57)【要約】【課題】子供が用便をする際に使用する踏み台を提供することができ、且つ不使用時に踏み台が邪魔にならず、さらに施工も簡単な洋風便器の開発を課題とする。【解決手段】洋風便器１は、本体部２に便座５及び蓋６が揺動自在に取り付けられたものである。本体部２は、床面に据えつけられる部位である。本体部２の下端部に踏み台部材１０が設けられている。踏み台部材１０は、本体部２から出し入れすることができるものである。踏み台部材１０の内部は収納空間２０となっている【選択図】図２
2007222279.tif 000002
【特許請求の範囲】
【請求項１】
便器の本体部に踏み台部材が設けられ、前記踏み台部材は、本体部に対して引出し及び収納可能であることを特徴とする洋風便器。
【請求項２】
踏み台部材は洋風便器の正面側に向かって引き出し可能であることを特徴とする請求項１に記載の洋風便器。
【請求項３】
踏み台部材の内部は収納空間となっていることを特徴とする請求項１又は２に記載の洋風便器。
【請求項４】
便器の本体部と踏み台部材は伸縮自在のロッドで連結されていることを特徴とする請求項１乃至３のいずれか一項に記載の洋風便器。
【発明の詳細な説明】
【技術分野】
【０００１】
本発明は、洋風便器に関するものである。
【背景技術】
【０００２】
洋風便器は、一般家庭に広く普及している。洋風便器の高さは、標準的な日本人の体格に合わせて作られている。したがって市販の洋風便器は、子供に対しては高さが高すぎる。そのため子供が用便をする際には便器によじ登る様にして腰掛けることとなる。また男児が小便をする際には背伸びをして用を足すこととなる。
【０００３】
そこで子供がいる家庭では、便所に踏み台を置き、子供はその踏み台に登って便座に腰掛ける。また男児は、踏み台に登って小便をする。しかしながら、家庭の便所は一般に狭いので、踏み台の収納場所に窮するという問題があった。即ち踏み台は、子供が用便するとき以外は、邪魔であり、清掃作業等の妨げとなる。
【０００４】
そこでこの問題を解決するために特許文献１，２の様な構成が知られている。ここで特許文献１に記載の発明は、床の一部を昇降させて踏み台とするものである。また特許文献２は、便器が取り付けられた壁を加工し、壁の一部を出し入れすることによって踏み台とするものである。
【特許文献１】特開２００１−２９２９３３号公報
【特許文献２】特開２００４−１１３４３７号公報
【発明の開示】
【発明が解決しようとする課題】
【０００５】
特許文献１，２に開示された発明は、床や壁の一部を利用して踏み台とするものであり、構造が大がかりである。そのため特許文献１，２に開示された発明を実施するには工事に多大な費用がかかるという問題がある。
【０００６】
そこで本発明は、従来技術の上記した問題点に注目し、子供が用便する際に使用する踏み台を提供することができ、且つ不使用時に踏み台が邪魔にならず、さらに施工も簡単な洋風便器の開発を課題とするものである。
【課題を解決するための手段】
【０００７】
上記した課題を解決するための請求項１に記載の発明は、便器の本体部に踏み台部材が設けられ、前記踏み台部材は、本体部に対して引出し及び収納可能であることを特徴とする洋風便器である。本発明の洋風便器では、踏み台部材が本体部に対して引出し及び収納可能である。そのため踏み台部材を引き出すことにより、踏み台部材が便器の前に設置される。そして子供は、踏み台部材を利用して便座に腰掛けることができる。また男児が小便をする際には、踏み台部材の上に乗って用を足すことができる。踏み台部材を使用しない時には、踏み台部材を便器の本体部内に収納することができる。また本発明の洋風便器は、床や壁等の建屋を工事することなく設置することができるので、施工が容易である。
【０００８】
請求項２に記載の発明は、踏み台部材は洋風便器の正面側に向かって引き出し可能であることを特徴とする請求項１に記載の洋風便器である。本発明の洋風便器では、踏み台部材が洋風便器の正面側に向かって引き出し可能であるから出し入れの操作が容易である。
【０００９】
請求項３に記載の発明は、踏み台部材の内部は収納空間となっていることを特徴とする請求項１又は２に記載の洋風便器である。本発明の洋風便器によると、踏み台部材の内部に掃除用具やトイレットペーパー、生理用品等を収納することができる。そのため便所の空間を有効に活用することができる。
【００１０】
請求項４に記載の発明は、便器の本体部と踏み台部材材は伸縮自在のロッドで連結されていることを特徴とする請求項１乃至３のいずれか一項に記載の洋風便器である。本発明の洋風便器は構造が簡単であり、製造が容易である。
【発明の効果】
【００１１】
本発明の洋風便器は、踏み台となる部材を有し、子供が腰掛ける際の助けとなる。そのため子供が無理なく所定の位置に着席することができる。また踏み台部材は、男児が小便をする際の踏み台としても使用できるので、背の低い男児でも親の付添いなく小便をすることができる。また本発明によると、踏み台を使用しない時には踏み台部材を便器の本体部内に収納することができるので邪魔にならない。さらに本発明の洋風便器は施工が容易であるという優れた効果がある。
【発明を実施するための最良の形態】
【００１２】
以下さらに本発明の実施形態について説明する。図１は、本発明の実施形態の洋風便器の斜視図であって、踏み台部材を収納した状態を示す。図２は、本発明の実施形態の洋風便器の斜視図であって、踏み台部材を出した状態を示す。図３は、図１の洋風便器の踏み台部材の分解斜視図である。図４は、踏み台部材の蓋の拡大断面図である。図５は、図１の洋風便器のロッド部分の断面図である。図６は、他の実施形態における踏み台部材の斜視図である。
【００１３】
図１，２において、１は本発明の実施形態の洋風便器を示す。洋風便器１は、公知のそれと同様に本体部２に便座５及び蓋６が揺動自在に取り付けられたものである。本体部２は、床面に据えつけられる部位であり、内部にボール部７が設けられ、常時水が溜められている。また本体部２の内部には図示しないトラップが設けられている。
【００１４】
そして本実施形態の洋風便器１では、本体部２の下端部に踏み台部材１０が設けられている。踏み台部材１０は、図１，２の様に本体部２から出し入れすることができるものである。即ち踏み台部材１０は、後記するガイド部材８によって、あたかも引出しの様に引出したり収納したりすることができる。踏み台部材１０を本体部２に収納したときの様子は、図１の様であり、踏み台部材１０の前面部が本体部２の他の部材と一体的なデザインとなり、不自然な凹凸形状が無くなる。
【００１５】
また踏み台部材１０を引き出した状態は、図２の様であり、踏み台部材１０は洋風便器１の前面側に大きく引き出され、底面が便所の床面に着地する。踏み台部材１０の構造は、図３の通りであり、箱状をしている。即ち踏み台部材１０は４つの側面１１，１２，１３，１４と底面１５有し、さらに蓋部材１６が設けられたものである。踏み台部材１０の４つの側面１１，１２，１３，１４の内、前面側側面１１及び左右の側面１２，１４は、前記した様に本体部２の他の部材と一体的なデザインとなっている。これに対して背面側の側面１３は、配管等との干渉を避けるために大きく凹んでいる。踏み台部材１０の正面側には、引き出す際に手を掛けるための係合部１８が設けられている。
【００１６】
蓋部材１６は、踏み台部材１０の天面に置かれたものであり、取り外すことができる。但し、踏み台部材１０の内部には図示しない支え部があり、蓋部材１６は、踏み台部材１０の内部側に落ち込むことはない。また蓋部材１６は頑丈であり、上に相当の重量がかかっても、割れたり、撓んだりすることはない。踏み台部材１０の内部は、図３に示すように収納空間２０となっており、掃除用具やトイレットペーパー等を収納することができる。蓋部材１６の上面側には、図４の様に滑り止め層１７が設けられている。
【００１７】
次に踏み台部材１０を出し入れするためのガイド部材８について説明する。本実施形態では、ガイド部材８はロッドであり、二本の可動側パイプ２２と二本の固定側パイプ２３によって構成されている。可動側パイプ２２と固定側パイプ２３が組み合わされて一本のロッドを構成している。
【００１８】
可動側パイプ２２は、踏み台部材１０に取り付けられたものであり、踏み台部材１０と共に移動する。可動側パイプ２２は踏み台部材１０の背面側から突出するものである。可動側パイプ２２の側面には、図５の様に、それぞれ二箇所に固定用の係合孔２６，２７が設けられている。ここで係合孔２７は、踏み台部材１０に遠い位置にあり、踏み台部材１０が引出し姿勢となったときの位置決めの為に設けられたものである。一方、係合孔２６は、踏み台部材１０から近い位置にあり、踏み台部材１０を収納した際の位置決めの為に設けられたものである。
【００１９】
二本の固定側パイプ２３は、いずれも洋風便器１の本体部２に一体的に固定されている。また固定側パイプ２３の側面には、一つの開口３０が設けられている。固定側パイプ２３の開口３０中にはピン３１が内蔵されており、ピン３１は、付勢部材３２によって常時突出側に付勢されている。
【００２０】
前記した可動側パイプ２２の内径は、固定側パイプ２３の外形よりも大きく。可動側パイプ２２は、固定側パイプ２３の外側に外装されている。即ち可動側パイプ２２の中に固定側パイプ２３が入り込んだ状態であり、両者の間は摺動自在である。そのため可動側パイプ２２と固定側パイプ２３との全長は全体として伸縮し、両者によって伸縮自在のロッドを構成している。
【００２１】
子供が本実施形態の洋風便器１を使用する際には、踏み台部材１０の正面側に設けられた係合部１８に手をかけ、踏み台部材１０を手前側に引く。その結果、踏み台部材１０が引き出されるが、踏み台部材１０は伸縮自在なガイド部材８によってガイドされているので、円滑に引き出される。
【００２２】
そして所定の位置まで引き出されると、固定用パイプ２３に設けられた開口３０が可動側パイプ２２の係合孔２７と合致し、固定用パイプ２３に設けられた開口３０内に収納されたピン３１が突出してその先端部が可動側パイプ２２の係合孔２７と係合する。そのため、踏み台部材１０を引き出した時に節度感がある。また踏み台部材１０は所定の引出し位置で停止し、容易に動かない。
【００２３】
引き出された状態において、踏み台部材１０は、洋風便器１の正面側にあるので、子供は踏み台部材１０を登って便座５の位置に到達することができる。ここで本実施形態では、踏み台部材１０の蓋部材１６に滑り止め層１７が設けられているので、子供が滑って転倒することはない。また前記した様に、固定用パイプ２３に設けられたピン３１が可動側パイプ２２の係合孔２７と係合し、踏み台部材１０は所定の引出し位置で停止し、容易に引き込まないから、子供が踏み台部材１０に乗った時に踏み台踏み台部材１０が逃げるという不具合もない。男児が小便をする際には、踏み台部材１０に登って用を足す。
【００２４】
踏み台部材１０を使用しない場合には、踏み台部材１０を本体部２側に押し、踏み台部材１０を本体部２側に引き込んで収納する。この場合においても踏み台部材１０はガイド部材８によってガイドされているので、動作が円滑である。なお踏み台部材１０が移動する際には、固定用パイプ２３の開口３０内に収納されたピン３１と可動側パイプ２２の係合孔２７との係合は解けている。即ち踏み台部材１０を少し強い力で本体部２側に押し込むと、可動側パイプ２２が移動し、その時の分力によってピン３１が開口３０内に沈む。
【００２５】
踏み台部材１０が所定の位置まで押しこまれると、固定用パイプ２３に設けられた開口３０が可動側パイプ２２のもう一つの係合孔２６と合致し、固定用パイプ２３に設けられた開口３０内に収納されたピン３１が突出してその先端部が可動側パイプ２２の係合孔２６と係合する。そのため、踏み台部材１０を所定の位置に収納した際にも節度感がある。また踏み台部材１０は収納された位置で停止し、容易に動かない。
【００２６】
以上説明した実施形態では、踏み台部材１０に取り外し可能な蓋部材１６を設け、踏み台部材１０の内部に物を収納する際には蓋部材１６を取り外すこととしたが、本発明はこの構成に限定されるものではなく、例えば図６に示す踏み台部材３５の様に、蓋部材３６，３７を踏み台部材３５の本体部３８に対してヒンジ（図示せず）を介して取付け、蓋部材３６，３７を開くことによって収納空間を開放することもできる。また踏み台部材に引出しを設けてもよい。
【図面の簡単な説明】
【００２７】
【図１】本発明の実施形態の洋風便器の斜視図であって、踏み台部材を収納した状態を示す。
【図２】本発明の実施形態の洋風便器の斜視図であって、踏み台部材を出した状態を示す。
【図３】図１の洋風便器の踏み台部材の分解斜視図である。
【図４】踏み台部材の蓋の拡大断面図である。
【図５】図１の洋風便器のロッド部分の断面図である。
【図６】他の実施形態における踏み台部材の斜視図である。
【符号の説明】
【００２８】
１  洋風便器
２  本体部
８  ガイド部材
１０，３５  踏み台部材
１６  蓋部材
１７  滑り止め層
２０  収納空間
３６，３７  蓋部材
【図１】
2007222279.tif 000003
【図２】
2007222279.tif 000004
【図３】
2007222279.tif 000005
【図４】
2007222279.tif 000006
【図５】
2007222279.tif 000007
【図６】
2007222279.tif 000008